(57)【要約】【課題】ＨＤやＤＶＤなどの記録媒体に読み書きするための複数の駆動部を備えた記録再生装置において、各駆動部の動作状態を、インジケータ（発光手段など）によって表示させることにより、装置内部の状態を分かりやすく通知できるようにする。【解決手段】記録再生装置１０は、ＢＤに読み書きするためのＢＤドライブ２、ＤＶＤに読み書きするためのＤＶＤドライブ３、ＨＤに読み書きするためのＨＤＤ４、各ドライブに対応した発光手段（ＬＥＤなど）からなるインジケータ部９、制御信号入力部５、表示制御部６を備える。記録再生装置１０は、ＢＤドライブ２又はＤＶＤドライブ３又はＨＤＤ４の動作を制御するための制御信号を入力し、入力した制御信号から制御対象のドライブを特定すると共に、そのドライブの動作状態（記録、再生など）を特定し、特定したドライブ及びその動作状態を、前記発光手段の色又は色の濃淡などを変化させることにより通知する。【選択図】図１
2006048873.tif 000002
【特許請求の範囲】
【請求項１】
記録媒体を着脱可能に装着し、該装着した記録媒体に読み書きする第１の駆動手段と、内蔵された他の記録媒体に読み書きする第２の駆動手段と、前記第１の駆動手段及び第２の駆動手段それぞれの動作状態を通知するためのインジケータ手段とを備えた記録再生装置において、前記第１の駆動手段あるいは第２の駆動手段の動作を制御するための制御信号を入力する制御信号入力手段と、該制御信号に基づいて制御対象の駆動手段を特定すると共に、その駆動手段の動作状態を特定し、該特定した駆動手段及びその動作状態に応じて前記インジケータ手段の表示制御を行なう表示制御手段とを備えていることを特徴とする記録再生装置。
【請求項２】
請求項１に記載の記録再生装置において、前記インジケータ手段は、前記駆動手段それぞれに対応した発光手段を備え、前記表示制御手段は、前記駆動手段毎に前記発光手段の色を異ならせることを特徴とする記録再生装置。
【請求項３】
請求項１に記載の記録再生装置において、前記第１の駆動手段は、前記記録媒体の種類毎に複数設けられ、前記インジケータ手段は、前記駆動手段それぞれに対応した発光手段を備え、前記表示制御手段は、前記駆動手段毎に前記発光手段の色を異ならせることを特徴とする記録再生装置。
【請求項４】
請求項２又は３に記載の記録再生装置において、前記表示制御手段は、前記駆動手段の動作状態に応じて前記発光手段の色又は色の濃淡を変化させることを特徴とする記録再生装置。
【請求項５】
請求項２乃至４のいずれか１に記載の記録再生装置において、前記インジケータ手段は、前記駆動手段それぞれに対応した発光手段の間に、他の発光手段を設け、前記表示制御手段は、前記駆動手段のうち、一方が再生状態で、他方が記録状態である場合に前記他の発光手段を点灯させることを特徴とする記録再生装置。
【請求項６】
請求項５に記載の記録再生装置において、前記他の発光手段は、互いに逆向きの２つの矢印の形に形成されていることを特徴とする記録再生装置。
【請求項７】
請求項２乃至４のいずれか１に記載の記録再生装置において、外部機器と接続するための入出力インタフェースを備え、前記インジケータ手段は、前記駆動手段それぞれに対応した発光手段の近傍に、他の発光手段を設け、前記表示制御手段は、前記駆動手段及び前記外部機器のうち、一方が再生状態で、他方が記録状態である場合に前記他の発光手段を点灯させることを特徴とする記録再生装置。
【請求項８】
請求項１に記載の記録再生装置において、前記インジケータ手段は、表示パネルを備え、前記表示制御手段は、前記駆動手段の動作状態に応じて前記表示パネルの表示制御を行なうことを特徴とする記録再生装置。
【請求項９】
請求項８に記載の記録再生装置において、前記表示パネルは、液晶表示パネル、ＥＬ表示パネル、ＬＥＤパネル、蛍光表示管の少なくとも一つの表示パネルであることを特徴とする記録再生装置。
【発明の詳細な説明】
【技術分野】
【０００１】
本発明は、記録再生装置、より詳細には、ハードディスクドライブ（ＨＤＤ）や光ディスクドライブなどを備えた記録再生装置に関し、特に、情報データのコピーや、裏番組録画などの機能を実行しているときに、各ドライブの動作状態をユーザに通知することができる記録再生装置に関する。
【背景技術】
【０００２】
従来、ＨＤＤ一体型ＡＶレコーダなどの記録再生装置は、ＬＥＤを点灯させるなどの方法で、内部の動作状態をユーザに通知していた。しかしながら、番組録画時などに、赤色ＬＥＤを単純に点灯させたり、記録再生装置本体の前面部に設けた表示部に各駆動部の現在の動作機能を表示するのみで、現在動作中の各駆動部間の役割分担（例えば、再生機能かあるいは録画機能かの機能分担）の内容や双方の駆動部間での役割分担の方向性（再生側の駆動部から出力されたデータが受信するどの記録側の駆動部へ送られるのか）がユーザにとって一目でわかりやすいものではなかった。特に一つの筐体の内部に３種類以上の異なる規格の駆動部を有する、従来のいわゆる複合機一体型の記録再生装置においては、例えば、長時間番組のダビング編集中に一方の記録側機器の記録媒体の残容量が無くなり、別の記録媒体に交換して継続ダビングを行なう時等の場合、ユーザがどの規格の記録媒体をどのトレイ挿入口から追加挿入すればよいか一目で分かりにくく使いづらいという課題があった。
また、番組録画には、単純な録画機能以外に、例えば、ＨＤに１番組録画しながら、裏番組をＤＶＤに記録するような場合や、ＨＤに裏番組を取っているときなど、複数の録画パターンがある。いずれの録画パターンにしても上記ＬＥＤを点灯させるのみで、ユーザは、所望の録画がどの駆動部からどの駆動部へ向かって、また並列的にどのような動作が行われているかどうかを確認することはできない。また、ＨＤＤ一体型ＡＶレコーダの利用形態としては、ＨＤに録画、再生を行う、あるいは、一部好みの番組だけＤＶＤにコピーかムーブする使い方が大半であるが、デジタル放送の受信／録画、デジタルカメラと一体となった使い方など、その使い方はますます多様化してくる。そのため、装置内部で並列的に行なわれている状態を一目で分かりやすく通知することができるインジケータ機能が必要となる。
【０００３】
これに対して、例えば、特許文献１には、ＣＤＧプレーヤとＶＣＲの複合機器で行われる制御機能を大きく三つの群に区分して単一の蛍光表示パネル部上に表示するためのＣＤＧプレーヤとＶＣＲの複合機器の機能表示制御方法が開示されている。
【０００４】
これは、蛍光表示パネル部に対して現在実行中の機能または選択される機能を制御部が認識し、制御データ貯蔵部に貯蔵されたＣＤＧプレーヤの専用機能表示データ、ＶＣＲの専用機能表示データ、及び共通機能表示データが動作状況により読み出されて蛍光表示パネル部上に現在の動作状態が表示され、ＣＤＧプレーヤとＶＣＲの複合機器で蛍光表示パネル部の単一化がなされ、動作中の機能の表示が実行されるようにしたものである。
【特許文献１】特開平８−２３５８４１号公報
【発明の開示】
【発明が解決しようとする課題】
【０００５】
しかしながら、上記特許文献１に記載の発明は、ＣＤＧプレーヤとＶＣＲの複合機器において動作中の機能の表示を制御するためのもので、ＨＤＤ一体型ＡＶレコーダに対して適用できるものではなく、また、蛍光表示パネル部には、小さな文字情報によって現在の動作状態が表示されるため、子供や年配者には見づらく、感覚的にわかりにくいという問題があった。
【０００６】
本発明は、上述のごとき実情に鑑みてなされたものであり、ハードディスクや光ディスクなどの記録媒体に読み書きするための複数の駆動部を備えた記録再生装置において、各駆動部の動作状態を、インジケータ（発光手段など）によって表示させることにより、装置内部の状態と動作中の各駆動部間で記録または再生機能の役割分担を直感的に把握できるようにすること、を目的としてなされたものである。
【課題を解決するための手段】
【０００７】
上記課題を解決するために、本発明の第１の技術手段は、記録媒体を着脱可能に装着し、該装着した記録媒体に読み書きする第１の駆動手段と、内蔵された他の記録媒体に読み書きする第２の駆動手段と、前記第１の駆動手段及び第２の駆動手段それぞれの動作状態を通知するためのインジケータ手段とを備えた記録再生装置において、前記第１の駆動手段あるいは第２の駆動手段の動作を制御するための制御信号を入力する制御信号入力手段と、該制御信号に基づいて制御対象の駆動手段を特定すると共に、その駆動手段の動作状態を特定し、該特定した駆動手段及びその動作状態に応じて前記インジケータ手段の表示制御を行なう表示制御手段とを備えていることを特徴としたものである。
【０００８】
第２の技術手段は、第１の技術手段において、前記インジケータ手段は、前記駆動手段それぞれに対応した発光手段を備え、前記表示制御手段は、前記駆動手段毎に前記発光手段の色を異ならせることを特徴としたものである。
【０００９】
第３の技術手段は、第１の技術手段において、前記第１の駆動手段は、前記記録媒体の種類毎に複数設けられ、前記インジケータ手段は、前記駆動手段それぞれに対応した発光手段を備え、前記表示制御手段は、前記駆動手段毎に前記発光手段の色を異ならせることを特徴としたものである。
【００１０】
第４の技術手段は、第２又は第３の技術手段において、前記表示制御手段は、前記駆動手段の動作状態に応じて前記発光手段の色又は色の濃淡を変化させることを特徴としたものである。
【００１１】
第５の技術手段は、第２乃至第４のいずれか１の技術手段において、前記インジケータ手段は、前記駆動手段それぞれに対応した発光手段の間に、他の発光手段を設け、前記表示制御手段は、前記駆動手段のうち、一方が再生状態で、他方が記録状態である場合に前記他の発光手段を点灯させることを特徴としたものである。
【００１２】
第６の技術手段は、第５の技術手段において、前記他の発光手段は、互いに逆向きの２つの矢印の形に形成されていることを特徴としたものである。
【００１３】
第７の技術手段は、第２乃至第４のいずれか１の技術手段において、外部機器と接続するための入出力インタフェースを備え、前記インジケータ手段は、前記駆動手段それぞれに対応した発光手段の近傍に、他の発光手段を設け、前記表示制御手段は、前記駆動手段及び前記外部機器のうち、一方が再生状態で、他方が記録状態である場合に前記他の発光手段を点灯させることを特徴としたものである。
【００１４】
第８の技術手段は、第１の技術手段において、前記インジケータ手段は、液晶表示パネルを備え、前記表示制御手段は、前記駆動手段の動作状態に応じて前記液晶表示パネルの表示制御を行なうことを特徴としたものである。
【００１５】
第９の技術手段は、第８の技術手段において、前記表示パネルは、液晶表示パネル、ＥＬ表示パネル、ＬＥＤパネル、蛍光表示管の少なくとも一つの表示パネルであることを特徴としたものである。
【発明の効果】
【００１６】
ハードディスクや光ディスクなどの記録媒体に読み書きするための複数の駆動部を備えた記録再生装置において、各駆動部の動作状態を、インジケータ（発光手段など）によって表示させることにより、装置内部の状態を分かりやすく通知することができる。特に、子供や年配者が当該記録再生装置を操作するときに、インジケータの点灯表示により現在の動作状態が確認し易くなるとともに、動作中の各駆動部間で記録または再生機能の役割分担を直感的に把握できるため、感覚的にわかりやすく、操作に迷うことがなくなる。
また、長時間番組のダビング編集中などに一方の記録側機器の記録媒体の残容量が無くなり、別の記録媒体に交換して継続ダビングを行う場合などに、ユーザがどの規格の記録媒体をどのトレイ挿入口から挿入すればよいか、一目で分かるようになり、操作性が向上する。
【発明を実施するための最良の形態】
【００１７】
図１は、本発明の一実施形態に係る記録再生装置の構成例を示すブロック図で、図中、１０は記録再生装置で、該記録再生装置１０は、操作パネル１，ＢＤ（Blu-ray-Disk）ドライブ２，ＤＶＤ（Digital-Versatile-Disk）ドライブ３，ＨＤＤ（ハードディスクドライブ）４，制御信号入力部５，表示制御部６，メモリ７，インジケータ駆動部８，インジケータ部９を備えている。本発明の記録再生装置１０は、内蔵したＨＤ（磁気ディスク）の記録／再生機能に加えて、ＢＤやＤＶＤなどの着脱可能な記録媒体の記録／再生機能を備えたＨＤＤ一体型ＡＶレコーダに好適に適用され、このＨＤＤ一体型ＡＶレコーダを代表例として以下に説明する。
【００１８】
図１において、ＢＤドライブ２は、例えば、ＢＤ−ＲＯＭ，ＢＤ−Ｒ，ＢＤ−ＲＥなどのＢＤ系記録メディアに読み書きするための駆動装置である。また、ＤＶＤドライブ３は、例えば、ＤＶＤ−ビデオ，ＤＶＤ−オーディオ，ＤＶＤ−ＲＡＭ，ＤＶＤ−Ｒ，ＤＶＤ−ＲＷ、ＤＶＤ＋ＲＯＭ，ＤＶＤ＋Ｒ，ＤＶＤ＋ＲＷなどのＤＶＤ系記録メディアや、ＣＤ−ＭＡ，ＣＤ−ビデオ，ＣＤ−Ｒ，ＣＤ−ＲＷなどのＣＤ系記録メディアに読み書きするための駆動装置である。また、ＨＤＤ４は、記録再生装置１０に内蔵されたＨＤ（磁気ディスク）に読み書きするための駆動装置である。ここで、上記各ドライブにおける読み書き処理とは、記録媒体に情報を記録する処理、あるいは、記録媒体に記録されている情報を再生する処理のことをいう。
【００１９】
操作パネル１は、記録再生装置１０が備える機能を制御するための制御信号を入力するための操作ボタン群や、図示しないリモコンなどから上記制御信号を受信するための受光部などを備える。制御信号入力部５は、操作パネル１から入力される制御信号を表示制御部６に出力する。この制御信号には、操作対象ドライブ（ＢＤドライブ２，ＤＶＤドライブ３，ＨＤＤ４）を特定するための情報と、その操作対象ドライブの動作状態（例えば、記録，再生，編集，消去など）を特定する情報とが含まれている。メモリ７には、操作対象ドライブの動作状態毎に、インジケータ部９の表示を制御するための表示制御データが蓄積されている。
【００２０】
表示制御部６は、制御信号入力部５からの制御信号に基づいて、操作対象ドライブとその動作状態を特定し、特定したドライブ及びその動作状態に応じた表示制御データをメモリ７から取得し、その表示制御データから表示制御信号を生成してインジケータ駆動部８に出力する。インジケータ駆動部８は、表示制御部６からの表示制御信号に従って、インジケータ部９を駆動するための駆動信号を生成してインジケータ部９に出力する。インジケータ部９は、インジケータ駆動部８からの駆動信号に従って、ＢＤドライブ２，ＤＶＤドライブ３，ＨＤＤ４のいずれかのドライブの動作状態に応じた表示を行う。インジケータ部９は、インジケータ手段として、例えば、ＬＥＤ，ＥＬなどの発光手段を備え、この発光手段の発光状態（色や、色の濃淡など）を、ドライブの動作状態に応じて制御することにより、各ドライブ（ＢＤドライブ２，ＤＶＤドライブ３，ＨＤＤ４）がどんな動作状態にあるのかをユーザに知らせることができる。
【００２１】
（第１の実施形態）
図２は、記録再生装置１０が備える各ドライブに対応したインジケータの一例を示す図で、記録再生装置１０は、ＨＤＤ４に対応したインジケータ１１ａ，１１ｂ、ＤＶＤドライブ３に対応したインジケータ１２ａ，１２ｂ、ＢＤドライブ２に対応したインジケータ１３ａ，１３ｂ、インジケータ１２ａ，１３ａ間に設けられたインジケータ１４、インジケータ１１ａ，１２ａ間に設けられたインジケータ１５、インジケータ１１ａ，１３ａ間に設けられたインジケータ１６、筐体１７、電源１８を備え、液晶ディスプレイなどの表示装置１９と接続されている。また、記録再生装置１０は、デジタルカメラなどの外部機器と接続するための図示しない入出力インタフェースを備えているものとする。
【００２２】
インジケータ部９は、合計１２個のＬＥＤからなるインジケータ１１ａ（ＬＥＤ１個），１１ｂ（ＬＥＤ２個），１２ａ（ＬＥＤ１個），１２ｂ（ＬＥＤ２個），１３ａ（ＬＥＤ１個），１３ｂ（ＬＥＤ２個），１４（ＬＥＤ１個），１５（ＬＥＤ１個），１６（ＬＥＤ１個）で構成されている。インジケータ１１ａ，１２ａ，１３ａは、対応する各ドライブにディスク状記録媒体が入っているかどうか、再生状態かどうか、記録状態かどうかを表す表示を行う。本例では、インジケータ１１ａが青色、インジケータ１２ａが赤色、インジケータ１３ａが緑色で点灯するように構成されている。各ドライブに対応するインジケータ（ＬＥＤ）の色と、その動作状態に対応するインジケータの表示方法は、メモリ７の表示制御データとして蓄積されている。
【００２３】
上記表示制御データは、例えば、ＨＤＤ４が再生状態にある場合、インジケータ１１ａを薄い青色（又は濃い青色）で表示し、ＨＤＤ４が記録状態か消去状態にある場合、インジケータ１１ａを濃い青色（又は薄い青色）で表示するように設定されている。但し、各色の濃淡の段階は、薄い／濃いの２値に限らず、各ドライブの動作状態に応じて多段階に設定するようにしてもよい。
【００２４】
尚、各ドライブに対応するインジケータ（ＬＥＤ）の色は、上記青，赤，緑に限らず、任意に設定しておくことができ、また、各ドライブの動作状態に対応するインジケータの表示方法は、色の違いや色の濃淡による表示以外であってもよく、例えば、ＬＥＤの点灯／点滅表示などで表すようにしてもよい。また、各ドライブに対応するインジケータ１１ａ，１２ａ，１３ａ（ＬＥＤ）をそれぞれ複数（例えば２個）設けておき、発光させるインジケータ（ＬＥＤ）の個数に応じて、各ドライブの動作状態を表示するようにしてもよい。これは、例えば、ＨＤＤ４が再生状態にある場合、１つのインジケータ１１ａを発光させ、ＨＤＤ４が記録状態か消去状態にある場合、２つのインジケータ１１ａを発光させるような表示を行ってもよい。
【００２５】
また、インジケータ１４，１５，１６は、上記３つのインジケータ１１ａ，１２ａ，１３ａを繋ぐ形で設けられている。また、インジケータ１１ｂ，１２ｂ，１３ｂとして、それぞれ２個の白色ＬＥＤが、上記３つのインジケータ１１ａ，１２ａ，１３ａの近傍に設けられている。これらのインジケータ１１ｂ，１２ｂ，１３ｂは、デジタルカメラ等の外部機器と、いずれかのドライブとの間で記録情報、或いは、再生情報がやりとりされているときに点灯する。
【００２６】
インジケータ１４，１５，１６は、それぞれインジケータ１３ａからインジケータ１２ａへの記録，編集、あるいは、インジケータ１２ａからインジケータ１１ａへの記録，編集、あるいは、インジケータ１１ａからインジケータ１３ａへの記録，編集が行われている状態のときに点灯する。逆の場合も同様に点灯する。本例では、インジケータ１４，１５，１６はオレンジ色に点灯するように構成されている。すなわち、これらのインジケータ１４，１５，１６がオレンジ色に点灯した場合、ＢＤドライブ２，ＤＶＤドライブ３，ＨＤＤ４のいずれから、ＢＤドライブ２，ＤＶＤドライブ３，ＨＤＤ４のいずれかにコピー等の記録がされている状態である。
【００２７】
また、ＨＤＤ４に対応したインジケータ１１ａは、薄い青色の場合、ＨＤＤ４が再生状態にあり、濃い青色の場合、ＨＤＤ４が記録状態か消去状態にあることを表す。また、ＤＶＤドライブ３に対応したインジケータ１２ａは、薄い赤色の場合、ＤＶＤドライブ３が再生状態にあり、濃い赤色の場合、ＤＶＤドライブ３が記録状態か消去状態にあることを表す。同様に、ＢＤドライブ２に対応したインジケータ１３ａは、薄い緑色の場合、ＢＤドライブ２が再生状態にあり、濃い緑色の場合、ＢＤドライブ２が記録状態か消去状態にあることを表す。また、例えば、上述のインジケータ１２ｂのＬＥＤが点灯し、インジケータ１２ａの赤のＬＥＤが濃く点灯すると、デジタルカメラ等の外部機器から、ＤＶＤに情報が記録されている状態を表す。
【００２８】
ここで、例えば、インジケータ１５がオレンジ色に点灯している場合、ＤＶＤドライブ３，ＨＤＤ４のいずれかから、ＤＶＤドライブ３，ＨＤＤ４のいずれかにコピー等の記録がされている状態であるが、インジケータ１１ａが薄い青色、インジケータ１２ａが濃い赤色に点灯することにより、ＨＤＤ４が再生状態で、ＤＶＤドライブ３が記録状態であることがわかる。このように構成することにより、年配者から子供まで、操作に迷うことがなくなり、ＨＤＤ一体型ＡＶレコーダが使いやすいものとなる。
【００２９】
（第２の実施形態）
図３は、記録再生装置１０が備える各ドライブに対応したインジケータの他の例を示す図で、記録再生装置１０は、筐体１７，電源１８，さらに、ＨＤＤ４に対応するインジケータ２０ａ，２０ｂ、ＤＶＤドライブ３に対応する２１ａ，２１ｂ、ＢＤドライブ２に対応する２２ａ，２２ｂを備え、表示装置１９と接続されている。本例に示すインジケータ部９は、インジケータ２０ａ及び２０ｂの組，インジケータ２１ａ及び２１ｂの組，インジケータ２２ａ及び２２ｂの組から構成されている。上記３つのインジケータ２０ａ，２１ａ，２２ａの色を、例えば、青色，赤色，緑色とすると、どれか１つ濃い色で点灯している場合、その色に対応するドライブが記録状態あるいは消去状態にある。２つ濃い色で点灯している場合、その２つの色に対応するドライブの記録媒体に別の番組が記録されている状態にある。３つ濃い色で点灯している場合も同様である。また、どれか１つのインジケータが薄い色で点灯している場合、そのインジケータに対応するドライブ（記録媒体）から、他のインジケータに対応するドライブ（記録媒体）へデータのコピーか、ムーブが行われている状態を表す。
【００３０】
（第３の実施形態）
図４は、記録再生装置１０が備える各ドライブに対応したインジケータの他の例を示す図で、記録再生装置１０は、ＨＤＤ４に対応したインジケータ１１ａ，１１ｂ、ＤＶＤドライブ３に対応したインジケータ１２ａ，１２ｂ、ＢＤドライブ２に対応したインジケータ１３ａ，１３ｂ、インジケータ１２ａ，１３ａ間に設けられたインジケータ２３、インジケータ１１ａ，１２ａ間に設けられたインジケータ２４、インジケータ１１ａ，１３ａ間に設けられたインジケータ２５、筐体１７、電源１８を備え、表示装置１９と接続されている。本例に示すインジケータ部９は、第１の実施形態に示したＬＥＤからなるインジケータ１１ａ，１１ｂ，１２ａ，１２ｂ，１３ａ，１３ｂに加えて，さらに、互いに逆方向を向いた矢印の形状からなるインジケータ２３，２４，２５から構成されている。このインジケータ２３，２４，２５は、それぞれ２つの矢印に対応して２つのＬＥＤで構成される。
【００３１】
ここで、例えば、ＨＤＤ４が再生状態で、ＤＶＤドライブ３が記録状態であった場合、インジケータ１１ａからインジケータ１２ａを向いた矢印のインジケータ２４を点灯することで、ユーザは、ＨＤＤ４が再生状態で、ＤＶＤドライブ３が記録状態であることがわかる。このように構成することで、どのドライブから再生されて、どのドライブに記録されているかをより直感的に示すことができる。
【００３２】
図５は、本発明が適用される記録再生装置１０の動作状態表示方法の一例を説明するためのフロー図である。尚、本例は、図１に示した記録再生装置１０の構成に基づいて説明するものとする。まず、記録再生装置１０は、操作パネル１からの制御信号を入力し（ステップＳ１）、入力した制御信号に基づいて、制御対象のドライブ（ＨＤＤ４あるいはＤＶＤドライブ３あるいはＢＤドライブ２）を特定すると共に（ステップＳ２）、そのドライブの動作状態を特定し（ステップＳ３）、特定したドライブの動作状態に応じた表示制御データをメモリ７から取得する（ステップＳ４）。
【００３３】
次に、記録再生装置１０は、取得した表示制御データに従って、インジケータ部９を駆動するための駆動信号を生成し（ステップＳ５）、その駆動信号をインジケータ部９に出力する（ステップＳ６）。インジケータ部９は、入力された駆動信号に従って、対応するインジケータ（ＬＥＤ）を点灯させて、該当するドライブの動作状態を表示する。
【００３４】
尚、本発明に係わる他の実施形態として、上記各実施形態で説明したインジケータ部９を液晶表示パネル（ＬＣＤ）や、ＥＬ（Ｅｌｅｃｔｒｏ  Ｌａｍｉｎｅｓｃｅｎｃｅ）表示パネル、ＬＥＤ表示パネル、あるいは蛍光表示管（ＦＥＤ）パネルなどの表示パネルで構成するようにしてもよい。これらの表示パネルを用いることで、各ドライブの動作状態に関するより多くの情報を表示することが可能となる。
【００３５】
尚、本発明の記録再生装置は、上記した各実施の形態に限定されるものではなく、本発明の要旨を逸脱しない範囲内において種々変更を加え得ることは勿論である。例えば、ドライブの種類や数は、ＨＤＤ，ＤＶＤドライブ，ＢＤドライブの３つに限らず、いずれか２つ以上の組み合わせとしてもよく、同種のドライブを組み合わせてもよい。さらには、これらＤＶＤやＢＤ以外にも、メモリカードやリムーバブルハードディスクなどの他の着脱可能な記録媒体に適用してもよい。
【００３６】
本発明によれば、ハードディスクや光ディスクなどの記録媒体に読み書きするための複数の駆動部を備えた記録再生装置において、各駆動部の動作状態を、インジケータによって表示させることにより、装置内部の状態を分かりやすく通知することができる。特に、子供や年配者が当該記録再生装置を操作するときに、インジケータの点灯表示により現在の動作状態を把握できるため、感覚的にわかりやすく、操作に迷うことがなくなる。さらに、このインジケータ機能をＬＥＤ等の簡単な構成で行うことができるため、コストをかけずに、安価なＨＤＤ一体型ＡＶレコーダを提供することができる。
【図面の簡単な説明】
【００３７】
【図１】本発明の一実施形態に係る記録再生装置の構成例を示すブロック図である。
【図２】記録再生装置が備える各ドライブに対応したインジケータの一例を示す図である。
【図３】記録再生装置が備える各ドライブに対応したインジケータの他の例を示す図である。
【図４】記録再生装置が備える各ドライブに対応したインジケータの他の例を示す図である。
【図５】本発明が適用される記録再生装置の動作状態表示方法の一例を説明するためのフロー図である。
【符号の説明】
【００３８】
１…操作パネル、２…ＢＤドライブ、３…ＤＶＤドライブ、４…ＨＤＤ、５…制御信号入力部、６…表示制御部、７…メモリ、８…インジケータ駆動部、９…インジケータ部、１０…記録再生装置、１１ａ，１１ｂ，１２ａ，１２ｂ，１３ａ，１３ｂ，１４，１５，１６，２０ａ，２０ｂ，２１ａ，２１ｂ，２２ａ，２２ｂ，２３，２４，２５…インジケータ（ＬＥＤ）、１７…筐体、１８…電源、１９…表示装置。
【図１】
2006048873.tif 000003
【図２】
2006048873.tif 000004
【図３】
2006048873.tif 000005
【図４】
2006048873.tif 000006
【図５】
2006048873.tif 000007